(57)【要約】【課題】ＣＯＤ値を正確に検出する。【解決手段】第一処理水を収容した処理槽に対して第二処理水を供給することによって、処理槽内で第一処理水と第二処理水との混合処理水を生成しつつ、供給された第二処理水と同量の混合処理水を排出する処理槽におけるＣＯＤ（化学的酸素要求量）値取得方法であって、予め設定された第一処理水の基準吸光度及び基準ＣＯＤ値と混合処理水における第一処理水の希釈率とに基づいて、第一処理水の吸光度及びＣＯＤ値を取得する処理と、測定された混合処理水の吸光度と第一処理水の吸光度との差分から第二処理水の吸光度を算出し、第二処理水の吸光度に基づいて第二処理水のＣＯＤ値を取得する処理と、第一処理水のＣＯＤ値と第二処理水のＣＯＤ値とを加算することで、混合処理水のＣＯＤ値を取得する処理と、を含む。【選択図】図２
2015135278.tif 000002
【特許請求の範囲】
【請求項１】
第一処理水を収容した処理槽に対して第二処理水を供給することによって、前記処理槽内で前記第一処理水と前記第二処理水との混合処理水を生成しつつ、供給された前記第二処理水と同量の前記混合処理水を排出する前記処理槽におけるＣＯＤ（化学的酸素要求量）値取得方法であって、
予め設定された前記第一処理水の基準吸光度及び基準ＣＯＤ値と前記混合処理水における前記第一処理水の希釈率とに基づいて、前記第一処理水の吸光度及びＣＯＤ値を取得する処理と、
測定された前記混合処理水の吸光度と前記第一処理水の吸光度との差分から前記第二処理水の吸光度を算出し、前記第二処理水の前記吸光度に基づいて第二処理水のＣＯＤ値を取得する処理と、
前記第一処理水のＣＯＤ値と前記第二処理水のＣＯＤ値とを加算することで、前記混合処理水のＣＯＤ値を取得する処理と、
を含むＣＯＤ値取得方法。
【請求項２】
前記第一処理水の吸光度及びＣＯＤ値を取得する処理に先立ち、前記処理槽内に、排水処理が完了した前記第一処理水のみを収容した状態で、前記第一処理水の吸光度およびＣＯＤ値を取得し、取得された前記第一処理水の吸光度およびＣＯＤ値を前記基準吸光度および前記基準ＣＯＤ値として設定する処理をさらに備える請求項１に記載のＣＯＤ値取得方法。
【請求項３】
前記第一処理水の吸光度及びＣＯＤ値を取得する処理で取得された前記第一処理水の吸光度およびＣＯＤ値を、前記基準吸光度および前記基準ＣＯＤ値として更新して設定する処理をさらに備え、
更新された前記基準吸光度および前記基準ＣＯＤ値を用いて、前記第一処理水の吸光度及びＣＯＤ値を取得する処理、第二処理水のＣＯＤ値を取得する処理、および前記混合処理水のＣＯＤ値を取得する処理を繰り返す請求項１または２に記載のＣＯＤ値取得方法。
【請求項４】
前記第二処理水の前記処理槽への供給流量と供給時間とから、前記第二処理水の供給量を取得し、取得された前記第二処理水の供給量と前記処理槽の容量とに基づいて前記混合処理水における前記第一処理水の希釈率を取得する請求項１から３の何れか一項に記載のＣＯＤ値取得方法。
【請求項５】
第一処理水を収容した処理槽に対して第二処理水を供給することによって、前記処理槽内で前記第一処理水と前記第二処理水との混合処理水を生成しつつ、供給された前記第二処理水と同量の前記混合処理水を排出する前記処理槽におけるＣＯＤ値検出装置であって、
基準吸光度及び基準ＣＯＤ値を記憶した基準値記憶部と、
前記処理槽から排出された前記混合処理水の吸光度を測定する吸光度測定部と、
請求項１から４の何れか一項に記載のＣＯＤ値取得方法を実行することによって、前記混合処理水のＣＯＤ値を取得する演算部と、
を備えるＣＯＤ値検出装置。
【請求項６】
第一処理水を収容するとともに第二処理水が供給されることによって混合処理水を生成し、供給された前記第二処理水と同量の前記混合処理水を排出する処理槽と、
請求項５に記載のＣＯＤ値検出装置と、
を備える排水処理設備。
【発明の詳細な説明】
【技術分野】
【０００１】
この発明は、ＣＯＤ値取得方法、ＣＯＤ値検出装置、排水処理設備に関する。
【背景技術】
【０００２】
工場や各種施設、設備等において、有機性汚濁物を含む排水は、微生物等によって有機物を分解する排水処理を行った後、外部に排出している。排水処理後の排水を外部に排出する場合、排水の水質が、例えばＣＯＤ（Ｃｈｅｍｉｃａｌ  Ｏｘｙｇｅｎ  Ｄｅｍａｎｄ：化学的酸素要求量）等の様々な基準を満たすよう規制されている。このため、排水の水質を検出する必要がある。
【０００３】
特許文献１には、吸光測定セル中の排水（試料水）に光源から測定光を照射し、吸光測定セルを透過した透過光から有機汚濁物濃度を算出する構成が開示されている。
【０００４】
特許文献２には、排水に測定光を照射して、その蛍光強度を測定し、測定された蛍光強度と、予めデータベース化された蛍光強度と排水水中のＣＯＤ値との相関データとを照合することにより、ＣＯＤ値を推定する構成が開示されている。
【先行技術文献】
【特許文献】
【０００５】
【特許文献１】特開２０００−２６６６７７号公報
【特許文献２】特許第５０４７８４６号公報
【発明の概要】
【発明が解決しようとする課題】
【０００６】
しかしながら、特許文献１、２に開示された構成において、排水の有機汚濁物濃度の算出やＣＯＤ値の推定を行うには、特許文献２に開示されているように、予めデータベース化した、測定光を照射したときの透過光のパラメータ値と有機汚濁物濃度やＣＯＤ値との相関データを参照する必要がある。
例えば、図３に示すように、データベースを構成する透過光のパラメータ値（例えば吸光度）とＣＯＤ値との相関データは、一定の吸光度係数（傾き）の検量線１００を形成する。この検量線１００から、検出された透過光の吸光度に対応するＣＯＤ値を求めることができる。
【０００７】
排水は、その濃度や組成成分等によって、吸光度係数が異なる。したがって、事前に、発生する排水の濃度や組成成分ごとに、測定光を照射したときの吸光度と、排水や処理水中のＣＯＤ値との相関データを求めてデータベース化しておく必要がある。
【０００８】
特に、処理槽内で微生物によって排水処理を行いながら、新たな排水を処理槽に流入させるとともに、流入したのと同量の処理水を排出する排水処理設備の場合、運転を停止して時間が経過すると、処理槽内の排水は、微生物による排水処理が終了された状態となる。この状態で運転を再開し、処理前の排水を供給すると、処理槽内には、処理前の排水と、排水処理後（処理中）の処理水とが混合して存在する。このため、流入する排水の流量や濃度によって、処理槽内の排水（処理水）全体の組成が逐次変動し、これに伴って処理槽内の排水の吸光度係数も変動する。
【０００９】
この場合、例えば、処理前の排水における吸光度係数が、排水処理後の処理水の吸光度係数よりも低い場合、処理槽中で処理前の排水と排水処理後の処理水とが混合した状態の混合処理水では、その吸光度係数は、排水処理後の処理水の吸光度係数よりも低くなる。このため、排水処理後の処理水のみを対象とした吸光度とＣＯＤ値との相関データを有するＣＯＤ測定器を用い、処理槽から排出された混合処理水の吸光度を測定して相関データからＣＯＤ値を求めると、得られるＣＯＤ値が、本来の混合処理水のＣＯＤ値よりも低くなってしまう。
【００１０】
ＣＯＤ値の検出を、より高精度に行うには、吸光度係数（傾き）が異なる多数の相関データをデータベースに持っていれば良い。しかし、これには、事前に行う相関データの取得に多大な手間がかかる。
しかも、実際に測定を行う際には、処理槽から排出される処理水が、どの吸光度係数に対応するものか判別しなければならず、その判別は困難である。
【００１１】
この発明は、上記事情に鑑みてなされたものであり、ＣＯＤ値を正確に検出することのできるＣＯＤ値取得方法、ＣＯＤ値検出装置、排水処理設備を提供することを目的とする。
【課題を解決するための手段】
【００１２】
この発明は、上記課題を解決するため、以下の手段を採用する。
この発明に係るＣＯＤ値取得方法は、第一処理水を収容した処理槽に対して第二処理水を供給することによって、前記処理槽内で前記第一処理水と前記第二処理水との混合処理水を生成しつつ、供給された前記第二処理水と同量の前記混合処理水を排出する前記処理槽におけるＣＯＤ値取得方法であって、予め設定された基準吸光度及び基準ＣＯＤ値と前記混合処理水における前記第一処理水の希釈率とに基づいて、前記第一処理水の吸光度及びＣＯＤ値を取得する処理と、測定された前記混合処理水の吸光度と前記第一処理水の吸光度との差分から前記第二処理水の吸光度を算出し、前記第二処理水の前記吸光度に基づいて第二処理水のＣＯＤ値を取得する処理と、前記第一処理水のＣＯＤ値と前記第二処理水のＣＯＤ値とを加算することで、前記混合処理水のＣＯＤ値を取得する処理と、を含む。
【００１３】
このように構成することで、一連の処理に先立って予め処理槽内に収容されている処理水の基準吸光度および基準ＣＯＤ値を設定しておき、処理槽から排出される混合処理水の吸光度を測定することによって、上記一連の処理によって、混合処理水のＣＯＤ値を取得することができる。
したがって、吸光度に対するＣＯＤ値の比である吸光度係数が、第一処理水と第二処理水とで異なり、しかも処理槽内の混合処理水における第一処理水と第二処理水との割合が変動する場合であっても、混合処理水のＣＯＤ値を取得することが可能となる。また、混合処理水のＣＯＤ値を取得するために、吸光度係数が異なる処理水についての多数の相関データを事前に取得する必要がない。
【００１４】
また、この発明に係るＣＯＤ値取得方法は、上記ＣＯＤ値取得方法において、前記第一処理水の吸光度及びＣＯＤ値を取得する処理に先立ち、前記処理槽内に、排水処理が完了した前記第一処理水のみを収容した状態で、前記第一処理水の吸光度およびＣＯＤ値を取得し、取得された前記第一処理水の吸光度およびＣＯＤ値を前記基準吸光度および前記基準ＣＯＤ値として設定する処理をさらに備えるようにしてもよい。
【００１５】
このように構成することで、一連の処理を始める前に、処理槽内に、排水処理が完了した第一処理水のみを収容した状態で、第一処理水の吸光度及びＣＯＤ値を取得することによって、基準吸光度および基準ＣＯＤ値を設定することができる。このようにして、このＣＯＤ値取得方法を適用する排水処理設備において、運転を停止してから時間が経過し、処理槽内に排水処理が完了した第一処理水のみが収容されている状態から運転開始する場合に、基準吸光度及びＣＯＤ値の設定を行うことができる。したがって、排水処理が完了した第一処理水の相関データのみを事前に取得しておけば良い。
【００１６】
また、この発明に係るＣＯＤ値取得方法は、上記ＣＯＤ値取得方法において、前記第一処理水の吸光度及びＣＯＤ値を取得する処理で取得された前記第一処理水の吸光度およびＣＯＤ値を、前記基準吸光度および前記基準ＣＯＤ値として更新して設定する処理をさらに備え、更新された前記基準吸光度および前記基準ＣＯＤ値を用いて、前記第一処理水の吸光度及びＣＯＤ値を取得する処理、第二処理水のＣＯＤ値を取得する処理、および前記混合処理水のＣＯＤ値を取得する処理を順次繰り返すようにしてもよい。
【００１７】
このように構成することで、上記一連の処理を繰り返して連続的に混合処理水のＣＯＤ値の取得を行う場合に、基準吸光度及び基準ＣＯＤ値を順次更新していくことで、混合処理水のＣＯＤ値を常に高い精度で取得することができる。
【００１８】
また、この発明に係るＣＯＤ値取得方法は、上記ＣＯＤ値取得方法において、前記第二処理水の前記処理槽への供給流量と供給時間とから前記第二処理水の供給量を取得し、取得された前記第二処理水の供給量と前記処理槽の容量とに基づいて前記混合処理水における前記第一処理水の希釈率を取得するようにしてもよい。
【００１９】
このように、処理槽内に供給した第二処理水の量を取得することによって、第一処理水の希釈率を正確に得ることができる。
【００２０】
この発明に係るＣＯＤ値検出装置は、第一処理水を収容した処理槽に対して第二処理水を供給することによって、前記処理槽内で前記第一処理水と前記第二処理水との混合処理水を生成しつつ、供給された前記第二処理水と同量の前記混合処理水を排出する前記処理槽におけるＣＯＤ値検出装置であって、基準吸光度及び基準ＣＯＤ値を記憶した基準値記憶部と、前記処理槽から排出された前記混合処理水の吸光度を測定する吸光度測定部と、上記したようなＣＯＤ値取得方法を実行することによって、前記混合処理水のＣＯＤ値を取得する演算部と、を備える。
【００２１】
このように構成することで、このＣＯＤ値検出装置は、吸光度係数が異なる多数の処理水についての相関データを事前に持つことなく、混合処理水のＣＯＤ値を取得することが可能となる。
【００２２】
この発明に係る排水処理設備は、第一処理水を収容するとともに第二処理水が供給されることによって混合処理水を生成し、供給された前記第二処理水と同量の前記混合処理水を排出する処理槽と、上記のＣＯＤ値検出装置と、を備える。
【００２３】
このように構成することで、この排水処理設備は、吸光度係数が異なる多数の処理水についての相関データを事前に持つことなく、混合処理水のＣＯＤ値を取得することが可能となる。
【発明の効果】
【００２４】
この発明に係るＣＯＤ値取得方法、ＣＯＤ値検出装置、排水処理設備によれば、ＣＯＤ値を正確に検出することが可能となる。
【図面の簡単な説明】
【００２５】
【図１】この発明の一実施形態に係る排水処理設備の全体構成を示す模式図である。
【図２】この発明の一実施形態に係るＣＯＤ値取得方法の処理の流れを示す図である。
【図３】吸光度とＣＯＤ値との相関データの一例を示す図である。
【発明を実施するための形態】
【００２６】
以下、この発明の一実施形態に係るＣＯＤ値取得方法、ＣＯＤ値検出装置、排水処理設備を図面に基づき説明する。
図１は、この実施形態に係る排水処理設備の全体構成を示す模式図である。図２は、この実施形態に係るＣＯＤ値取得方法の処理の流れを示す図である。
図１に示すように、この実施形態の排水処理設備Ａは、微生物等によって有機物を分解する排水処理を行う処理槽１０を備える。
【００２７】
この処理槽１０に対しては、外部の排水槽１１等から、処理前の排水（第二処理水）Ｗ１が供給される。処理槽１０内には、処理槽１０内で時間が経過することによって排水処理が完了した処理水（第一処理水）Ｗ２と、排水槽１１から供給された排水Ｗ１とが混合した混合処理水Ｗ３が収容されている。
排水槽１１は、処理槽１０への排水Ｗ１の供給を断続可能な不図示の開閉バルブ等が備えられている。
処理槽１０は、排出口１２を有している。処理槽１０は、外部から排水Ｗ１が供給されことによって、供給された排水Ｗ１と同量の混合処理水Ｗ３が排出口１２から外部の処理水槽１３等に排出される。
【００２８】
排水処理設備Ａは、排出口１２から排出する混合処理水Ｗ３のＣＯＤ値を検出するＣＯＤ値検出装置２０を備えている。ＣＯＤ値検出装置２０は、吸光度検出計（吸光度測定部）２１と、演算部２２と、基準値記憶部２３と、流量計２４と、を備えている。
【００２９】
吸光度検出計２１は、排出口１２に設けられている。吸光度検出計２１は、処理槽１０内に収容されている処理水Ｗ２や混合処理水Ｗ３からろ過等の処理により液相のみ取り出した処理水に紫外線（以下、ＵＶと表記）を照射したときの吸光度を検出する。この吸光度検出計２１には、公知のものを用いればよい。
【００３０】
演算部２２は、吸光度検出計２１で検出した吸光度からＣＯＤ値を算出する。また、演算部２２は、算出したＣＯＤ値が、予め定めた基準に収まっているか否かを判定する。
【００３１】
基準値記憶部２３は、演算部２２での演算に用いる基準吸光度及び基準ＣＯＤ値を記憶する。また、基準値記憶部２３は、排水処理が完了した状態の処理水Ｗ２の吸光度係数と、排水Ｗ１の吸光度係数とが記憶されている。
流量計２４は、排水槽１１から供給される排水Ｗ１の流量を検出する。この流量計２４には、公知のものを用いればよい。
【００３２】
以下、ＣＯＤ値検出装置２０におけるＣＯＤ値の検出方法について説明する。
図２は、この実施形態に係るＣＯＤ値取得方法の処理の流れを示す図である。
ここで、排水処理設備Ａは、処理槽１０に対して、排水Ｗ１を排水槽１１から間欠的に供給するものとする。すなわち、処理槽１０に排水Ｗを供給した後、排水Ｗ１の処理槽１０への供給を停止させて、一定時間の間、処理槽１０内の混合処理水Ｗ３の排水処理を行う。その後、一定時間の経過後、排水Ｗ１を処理槽１０に再び供給する。
【００３３】
（ステップＳ１０１：吸光度の計測）
排水処理設備Ａにおいて、処理槽１０に排水Ｗ１を供給するに先立っては、処理槽１０内には、前回の運転停止時以降、時間が経過することによって、排水処理が完了した処理水Ｗ２のみが収容されている。そこで、図２に示すように、まず、処理槽１０に排水Ｗ１を供給するに先立ち、処理槽１０内において、既に排水処理が完了した処理水Ｗ２のみを対象とし、吸光度検出計２１で吸光度λｉ−１を計測する（ｉ＝１）（ステップＳ１０１）。吸光度検出計２１における計測値のデータは演算部２２に入力される。
【００３４】
（ステップＳ１０２：基準ＣＯＤ値の設定）
演算部２２は、吸光度検出計２１で検出された処理水Ｗ２の吸光度から、処理水Ｗ２のＣＯＤ値を、次式（１）により算出する。ここで、σＢは、事前に基準値記憶部２３に記憶された、排水処理が完了した状態の処理水Ｗ２におけるＣＯＤ換算係数である吸光度係数σＢ（ｍｇ／Ｌ／Ａｂｓ）である。
算出されたＣＯＤ値を、基準値ＣＯＤＢ，０として基準値記憶部２３に記憶させる（ステップＳ１０２）。
【００３５】
【数１】
2015135278.tif 000003
【００３６】
（ステップＳ１０３：排水供給開始）
次いで、排水槽１１から処理槽１０への排水Ｗ１の供給を開始する（ステップＳ１０３）。すると、処理槽１０内においては、処理水Ｗ２と供給された排水Ｗ１とが混合して混合処理水Ｗ３が生成される。そして、処理槽１０の排出口１２から、供給された排水Ｗ１の量と同量の混合処理水Ｗ３が排出される。
ＣＯＤ値検出装置２０は、吸光度検出計２１で、処理槽１０内の混合処理水Ｗ３の吸光度λｉ−１を計測する。
ＣＯＤ値検出装置２０は、排水槽１１からの排水Ｗ１の供給開始後の、経過時間ｔ（ｈ）と、排水Ｗ１の供給量（流量）Ｆ（ｍ３／ｈ）を流量計２４によりモニタリングする。
【００３７】
（ステップＳ１０４、Ｓ１０５：処理水の希釈率算出）
予め定めた一定時間経過後、経過時間ｔと排水Ｗ１の流量Ｆとから、次式（２）により、排水Ｗ１の処理槽１０への供給量Ｑｉを算出する（ステップＳ１０４）。
【００３８】
【数２】
2015135278.tif 000004
【００３９】
さらに、得られた供給量Ｑｉから、処理槽１０における処理水Ｗ２の希釈率ｍｉを、次式（３）により算出する（ステップＳ１０５）。ここで、Ｖは処理槽１０の容積（ｍ３）である。
【００４０】
【数３】
2015135278.tif 000005
【００４１】
（ステップＳ１０６：処理水Ｗ２の吸光度の算出）
次いで、次式（４）において、ステップＳ１０１で計測した吸光度λｉ−１（ｉ＝１）に、式（３）で得られた希釈率ｍｉを掛ける。これにより、その時点において処理槽１０内で希釈された処理水Ｗ２の吸光度λＢ，ｉが算出される
【００４２】
【数４】
2015135278.tif 000006
【００４３】
（ステップＳ１０７：排水Ｗ１の吸光度の算出）
次に、ステップＳ１０３で吸光度検出計２１により計測された、処理槽１０内の混合処理水Ｗ３の吸光度λｉから、式（４）で求めた、その時点での処理水Ｗ２の吸光度λＢ，ｉを引くことで、処理槽１０内の排水Ｗ１の吸光度λＳ，ｉを算出する（ステップＳ１０７）。
【００４４】
【数５】
2015135278.tif 000007
【００４５】
（ステップＳ１０８；排水Ｗ１のＣＯＤ値の算出）
式（６）、（７）において、式（４）、（５）で得られた、処理水Ｗ２の吸光度λＢ，ｉ、排水Ｗ１の吸光度λＳ，ｉから、その時点での処理水Ｗ２のＣＯＤ値ＣＯＤＢ，ｉ、排水Ｗ１のＣＯＤ値ＣＯＤＳ，ｉを算出する（ステップＳ１０８）。ここで、σＳは、事前に設定されてＣＯＤ値検出装置２０に記憶された、排水Ｗ１のＣＯＤ換算係数（ｍｇ／Ｌ／Ａｂｓ）である。
【００４６】
【数６】
2015135278.tif 000008
【数７】
2015135278.tif 000009
【００４７】
（ステップＳ１０９：混合処理水Ｗ３のＣＯＤ値の算出）
次に、次式（８）において、式（６）、（７）で得られた処理水Ｗ２のＣＯＤ値ＣＯＤＢ，ｉと、排水Ｗ１のＣＯＤ値ＣＯＤＳ，ｉとを加算することで、混合処理水Ｗ３のＣＯＤ値ＣＯＤｉを算出する。
【００４８】
【数８】
2015135278.tif 000010
【００４９】
（ステップＳ１１０：混合処理水Ｗ３のＣＯＤ値の判定）
ＣＯＤ値検出装置２０では、ステップＳ１０９で得られた混合処理水Ｗ３のＣＯＤ値ＣＯＤｉが、予め定めた規定範囲内であるか否かを判定する（ステップＳ１１０）。
判定の結果、混合処理水Ｗ３のＣＯＤ値ＣＯＤｉが基準の範囲内であれば、処理を続行する。一方、判定の結果、混合処理水Ｗ３のＣＯＤ値ＣＯＤｉが基準の範囲外であった場合、ＣＯＤ値検出装置２０は、ブザー音、インジケータランプの点灯等によって警報を外部に出力する（ステップＳ１１１）。また、排水槽１１から処理槽１０への排水Ｗ１の供給を自動的に停止させるようにしてもよい。
【００５０】
（ステップＳ１１２：基準値の更新）
また、ステップＳ１０８で式（４）、（６）によって算出した、処理水Ｗ２の吸光度λＢ，ｉとＣＯＤ値ＣＯＤＢ，ｉとを、次回の演算時における基準吸光度および基準ＣＯＤ値として基準値記憶部２３に記憶させ、基準値を更新する（ステップＳ１１２）。
【００５１】
この後は、排水処理設備Ａにおいて、処理槽１０への排水Ｗの供給が停止されるまでの間は、予め定めた待機時間が経過した時点で、ステップＳ１０４以下の処理を自動的に繰り返す（ステップＳ１１３、Ｓ１１４）。
【００５２】
この排水処理設備Ａは、処理槽１０に排水Ｗを供給した後、排水Ｗ１の処理槽１０への供給を停止させて、一定時間の間、処理槽１０内の混合処理水Ｗ３の排水処理を行う。その後、一定時間の経過後、排水Ｗ１を処理槽１０に再び供給する。排水Ｗ１の処理槽１０への供給を停止させて、一定時間が経過した後は、ステップＳ１０１から一連の処理を再開する。
【００５３】
上述した実施形態のＣＯＤ値取得方法、ＣＯＤ値検出装置、排水処理設備によれば、一連の処理を始める前に処理槽１０内に収容されている処理水Ｗ２の基準吸光度および基準ＣＯＤ値を設定しておけば、上記一連の処理によって、混合処理水Ｗ３のＣＯＤ値を取得することができる。
したがって、吸光度係数が、処理水Ｗ２と排水Ｗ１とで異なり、しかも処理槽１０内の混合処理水Ｗ３における処理水Ｗ２と排水Ｗ１との割合が経時的に変動しても、混合処理水Ｗ３のＣＯＤ値を正確に取得することが可能となる。また、混合処理水Ｗ３のＣＯＤ値を取得するために、吸光度係数が異なる多数の処理水についての相関データを事前に持つ必要がない。
【００５４】
また、ステップＳ１０６の処理水Ｗ２の吸光度及びＣＯＤ値を取得する処理に先立ち、処理槽１０内に処理水Ｗ２のみを収容した状態で、処理水Ｗ２の吸光度λＢ，ｉおよびＣＯＤ値ＣＯＤＢ，ｉを取得し、取得された処理水Ｗ２の吸光度λＢ，ｉおよびＣＯＤ値ＣＯＤＢ，ｉを基準吸光度および基準ＣＯＤ値として設定する処理をさらに備えるようにした（ステップＳ１０１，Ｓ１０２）。
このように構成することで、排水処理設備Ａの運転開始前に、処理槽１０内に処理水Ｗ２のみを収容した状態から、処理水Ｗ２の吸光度λＢ，ｉ及びＣＯＤ値ＣＯＤＢ，ｉを取得することによって、基準吸光度および基準ＣＯＤ値を設定することができる。
【００５５】
また、ステップＳ１０６で取得された処理水Ｗ２の吸光度λＢ，ｉ及びＣＯＤ値ＣＯＤＢ，ｉを、基準吸光度および基準ＣＯＤ値として更新して設定する処理をさらに備えるようにした。
このように構成することで、上記一連の処理を繰り返して、連続的に混合処理水Ｗ３のＣＯＤ値の取得をリアルタイムで連続的に行うことができる。その場合、処理水Ｗ２の吸光度およびＣＯＤ値を順次更新していくことで、混合処理水Ｗ３のＣＯＤ値を常に高い精度で取得することができる。
【００５６】
また、排水Ｗ１の処理槽１０への供給流量と供給時間とから、排水Ｗ１の供給量を取得し、取得された排水Ｗ１の供給量と処理槽１０の容量とに基づいて混合処理水Ｗ３における処理水Ｗ２の希釈率を取得するようにした。
このように構成することで、処理槽１０内に供給した排水Ｗ１の量を取得することによって、処理水Ｗ２の希釈率を正確に得ることができる。
【００５７】
（その他の変形例）
なお、この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
例えば、ステップＳ１０１、Ｓ１０２で、処理槽１０内を処理水Ｗ２のみとして吸光度を計測し、基準ＣＯＤ値を設定するようにしたが、これに限らない。事前に、処理水Ｗ２の基準吸光度及び基準ＣＯＤ値を基準値記憶部２３に記憶させておき、ステップ１０５では、記憶させておいた基準吸光度及び基準ＣＯＤ値を用いるようにしても良い。これにより、ステップＳ１０１、Ｓ１０２の処理を省略することができる。
【００５８】
なお、処理槽１０に排水Ｗ１を供給した後、排水Ｗ１の処理槽１０への供給を停止させて、一定時間の間、処理槽１０内の混合処理水Ｗ３の排水処理を行った後、排水Ｗ１を処理槽１０に再び供給するとは限らない。処理槽１０に対して、排水Ｗ１を連続的に供給しても良い。この場合、連続的に供給される排水Ｗ１と同量の混合処理水Ｗ３が、処理槽１０から処理水槽１３へと排出される。
【符号の説明】
【００５９】
Ａ  排水処理設備
１０  処理槽
１１  排水槽
１２  排出口
１３  処理水槽
２０  ＣＯＤ値検出装置
２１  吸光度検出計（吸光度測定部）
２２  演算部
２３  基準値記憶部
２４  流量計
Ｗ１  排水（第二処理水）
Ｗ２  処理水（第一処理水）
Ｗ３  混合処理水
【図１】
2015135278.tif 000011
【図２】
2015135278.tif 000012
【図３】
2015135278.tif 000013